(57)【特許請求の範囲】
【請求項１】
スピンドルモータと、
上記スピンドルモータのモータ軸の先端側に設けられ、当該モータ軸と一体で回転され、記録ディスクが載置されるディスクテーブルと、
上記ディスクテーブルに載置される記録ディスクに対して情報信号を記録及び／又は再生する記録及び／又は再生手段と、
上記モータ軸が挿通されるリング部材と、
上記リング部材の外周部の一部に形成され、上記モータ軸の回転中心に平行な平面部を有する当接部と、
上記当接部の平面部に平行に延長する被当接部が設けられたアーム部を有し、上記被当接部を上記当接部の平面部に当接させて上記当接部を上記モータ軸に略々直交する方向に押圧付勢する付勢部材とを備え、
上記付勢部材が上記アーム部を上記当接部の平面部に当接させて上記当接部を押圧付勢することにより、上記リング部材は、当該付勢部材に対する回転を阻止されることを特徴とするディスク記録及び／又は再生装置。
【請求項２】
上記リング部材は、含油金属により形成されていることを特徴とする請求項１記載のディスク記録及び／又は再生装置。
【請求項３】
上記リング部材は、上記当接部が複数箇所に形成されていることにより、外形形状が略三角状となっていることを特徴とする請求項１記載のディスク記録及び／又は再生装置。
【請求項４】
上記付勢部材は、コイル部と、コイル部の一方の端部から延長して設けられた上記アーム部と、コイル部の他方の端部から延長して設けられた他方のアーム部とを有する捻りコイルバネであり、
上記コイル部及び上記他方のアーム部は、上記スピンドルモータが固定されるシャーシに固定され、
上記付勢部材は、上記アーム部の上記被当接部を上記当接部の平面部に当接させて、上記当接部を押圧付勢していることを特徴とする請求項１記載のディスク記録及び／又は再生装置。
【発明の詳細な説明】
【０００１】
【発明の属する技術分野】
本発明は、記録ディスクを保持するディスクテーブルを回転操作するためのスピンドルモータを有するディスク記録及び／又は再生装置に関する。
【０００２】
【従来の技術】
従来、光ディスク、磁気ディスク、あるいは、光磁気ディスクの如き、情報信号の記録媒体となる記録ディスクが提案されている。このような記録ディスクは、この記録ディスクに対する情報信号の記録及び再生を行うディスク記録及び／又は再生装置（ディスク記録及び／又は再生装置）において、図１０に示すように、スピンドルモータ２０９のモータ軸２０１に取り付けられたディスクテーブル２１２によって位置決めされてチャッキングされる。
【０００３】
スピンドルモータ２０９は、モータ筐体２０４を有して構成され、モータ軸２０１が突出された該モータ筐体２０４の上面部を、ディスク記録及び／又は再生装置のシャーシ２１０に取り付けられている。
【０００４】
記録ディスクは、中央部に、この記録ディスクの信号記録面上に略々同心円状となされて螺旋状に形成される記録トラックの曲率中心に中心を一致させた円形のチャッキング用位置決め孔を有している。
【０００５】
ディスクテーブル２１２は、略々円盤形状を有して形成され、チャッキング用位置決め孔に嵌合される嵌合体２１４と、該チャッキング用位置決め孔の周囲部が載置されるディスク載置部２１３とを有して構成されている。嵌合体２１４は、略々円錐台形状を有しており、ディスクテーブル２１２の上面部の中央部に突設されている。ディスク載置部２１３は、嵌合体２１４の周囲側にフランジ状に突出されている。また、このディスクテーブル２１２は、中心軸に沿って、モータ軸２０１が挿入される軸挿入孔を有している。
【０００６】
このディスクテーブル２１２は、記録ディスクを回転操作するためのスピンドルモータ２０９のモータ軸２０１の中心軸と嵌合体２０４の中心軸とが一致する状態となされて、該モータ軸２０１に取り付けられている。
【０００７】
記録ディスクは、ディスクテーブル２１２の嵌合体２１４をチャッキング用位置決め孔に嵌合されることによって、この嵌合体２１４に対して同軸状となされ、主面部に沿う方向の位置決めをなされる。
【０００８】
また、この記録ディスクは、チャッキング用位置決め孔の周囲部をディスク載置部２１３上に載置させることによって、主面部に対する垂直方向、すなわち、高さ方向の位置決めをなされる。
【０００９】
そして、ディスクテーブル２１２には、金属リング２０３が、モータ軸２０１に同軸状となされて取り付けられている。また、シャーシ２１０上には、支持ステー２１１介して、マグネット２０８が金属リング２０３の外周部に接近されて配設されている。このマグネット２０８は、磁力により、金属リング２０３をモータ軸２０１に対して略々直交する方向に吸引して付勢している。
【００１０】
このディスクテーブル２１２は、マグネット２０８によって、常に、モータ軸２０１に略々直交する一方向に付勢されていることにより、モータ軸２０１の、いわゆる味噌スリ運動となる軸ブレ（軸ガタ）の発生を防止する。したがって、このディスクテーブル２１２に保持された記録ディスクは、回転中心が移動されることなく、円滑に回転操作される。
【００１１】
また、スピンドルモータ２０９としては、図９に示すように、モータ軸２０１をこのモータ軸２０１に略々直交する一方向に付勢するためのマグネット２０８をモータ筐体２０４内に内蔵して構成されたものもある。
【００１２】
このスピンドルモータ２０９においては、モータ軸２０１は、モータ筐体２０４内において、一端側及び他端側をそれぞれ回転軸受け２０２，２０７により回転可能に支持されている。このモータ軸２０１は、少なくとも一端側を、モータ筐体２０４の外方側に突出させている。このモータ軸２０１には、モータ筐体２０４内において、ロータとなるマグネット２０６が取り付けられている。そして、モータ筐体２０４内には、マグネット２０６の外周部に対向して、駆動コイル２０５が配設されている。
【００１３】
そして、モータ軸２０１には、モータ筐体２０４内において、金属リング２０３が取り付けられている。モータ筐体２０４内には、金属リング２０３の外周部に対向して、マグネット２０８が配設されている。
【００１４】
マグネット２０８は、磁力により、金属リング２０３をモータ軸２０１に対して略々直交する方向に吸引して付勢している。
【００１５】
このモータ軸２０１は、マグネット２０８によって、常に、このモータ軸２０１に略々直交する一方向に付勢されていることにより、いわゆる味噌スリ運動となる軸ブレ（軸ガタ）の発生を防止されている。
【００１６】
【発明が解決しようとする課題】
ところで、上述のようにスピンドルモータ２０９のモータ軸２０１の軸ブレを防止するためにマグネット２０８を用いることは、このマグネット２０８をモータ筐体２０４内に配設する場合には、このスピンドルモータ２０９の大型化を招来することとなる。
【００１７】
また、マグネット２０８をシャーシ２１０上に配設する場合には、このスピンドルモータ２０９を用いて構成されるディスク記録及び／又は再生装置の構成の複雑化、大型化を招来することとなる。すなわち、この場合、マグネット２０８は、シャーシ２１０上に他の部材を配設することに対する障害となる虞れがある。
【００１８】
そこで、本発明は、上述の実情に鑑みて提案されるものであって、構成の複雑化、大型化を招来することなく、スピンドルモータのモータ軸の微細な味噌スリ運動、すなわち、軸ブレを防止できるようになされたディスク記録及び／又は再生装置を提供することを目的とする。
【００１９】
【課題を解決するための手段】
上述の課題を解決し上記目的を達成するため、本発明に係るディスク記録及び／又は再生装置は、スピンドルモータと、上記スピンドルモータのモータ軸の先端側に設けられ、当該モータ軸と一体で回転され、記録ディスクが載置されるディスクテーブルと、上記ディスクテーブルに載置される記録ディスクに対して情報信号を記録及び／又は再生する記録及び／又は再生手段と、上記モータ軸が挿通されるリング部材と、上記リング部材の外周部の一部に形成され、上記モータ軸の回転中心に平行な平面部を有する当接部と、上記当接部の平面部に平行に延長する被当接部が設けられたアーム部を有し、上記被当接部を上記当接部の平面部に当接させて上記当接部を上記モータ軸に略々直交する方向に押圧付勢する付勢部材とを備え、上記付勢部材が上記アーム部を上記当接部の平面部に当接させて上記当接部を押圧付勢することにより、上記リング部材は、当該付勢部材に対する回転を阻止されることを特徴とする。
【００２０】
【発明の実施の形態】
以下、本発明の具体的な実施の形態を図面を参照しながら説明する。
【００２１】
本発明に係るディスク記録及び／又は再生装置は、記録ディスクを保持するディスクテーブルがモータ軸に取付けられたスピンドルモータを備えている。
【００２２】
スピンドルモータは、図１に示すように、モータ軸９が突出された上面部を、ディスク記録及び／又は再生装置のシャーシ１０の下面部に対して、螺子２９によって取り付けられている。モータ軸９は、シャーシ１０に形成された透孔を介して、該シャーシ１０の上方側に突出されている。このモータ軸９には、記録ディスクを位置決めして保持するためのディスクテーブル１が取り付けられる。
【００２３】
ディスクテーブル１は、合成樹脂材料により略々円盤状に形成され、上面側の中央部に、上端側が縮径された略々円錐台状の嵌合体４が一体的に突出形成されている。このディスクテーブル１の周縁側部分、すなわち、嵌合体４の周辺側となる部分は、上面部が、ディスク載置部３となされている。
【００２４】
ディスクテーブル１は、中心軸に沿った中心孔２を有し、この中心孔２にスピンドルモータ８のモータ軸９を嵌入させて、このモータ軸９に取り付けられる。このディスクテーブル１は、ディスク記録及び／又は再生装置において、スピンドルモータ８により、回転操作される。
【００２５】
ディスクテーブル１には、図４に示すように、記録ディスク１０１の中心部分が載置される。このとき、記録ディスク１０１は、中央部に穿設されたチャッキング用位置決め孔１０４に嵌合体４を嵌合させ、このチャッキング用位置決め孔１０４の周囲部をディスク載置部３上に載置させる。
【００２６】
このディスクテーブル１に装着される記録ディスク１０１としては、光磁気ディスク、または、光ディスクが用いられる。光磁気ディスクは、直径が例えば６４ｍｍ程度のポリカーボネイトの如き透明合成樹脂材料よりなるディスク基板に、磁性材料からなる信号記録層が被着形成されて構成されている。この信号記録層は、集光されたレーザビームの照射等の手段により局所的にいわゆるキュリー温度以上に加熱され、この加熱された部分に外部磁界が印加されることにより、情報信号の書き込みをなされる。このように書き込まれた情報信号は、信号記録層にレーザビームの如き直線偏光光束を照射し、この光束の反射光束についての該記信号記録層におけるいわゆるカー効果による偏光方向の回転を検出することにより、読み出すことができる。
【００２７】
また、光ディスクは、光磁気ディスクのディスク基板と同様のディスク基板に、アルミニウムの如き金属材料よりなる反射層が被着形成されて構成されている。この光ディスクのディスク基板には、射出成形等の手段により、情報信号に対応した微細なピット列が形成されている。この光ディスクに書き込まれている情報信号は、ピット列にレーザビームの如きコヒーレント光光束を照射し、この光束の反射光束についての該記信号記録層における拡散や干渉による光量の変化を検出することにより、読み出すことができる。
【００２８】
そして、光磁気ディスク及び光ディスクは、図５及至図８に示すように、カートリッジ１０５，１１６に回転可能に収納されて、ディスクカートリッジを構成している。光磁気ディスクを収納して記録及び再生用ディスクカートリッジ１２０を構成するカートリッジ１０５は、一辺の長さが該光磁気ディスクの直径に略々対応した矩形状の主面部を有する薄い筐体状に構成されている。このカートリッジ１０５は、図５に示すように、上面側の主面部に、光磁気ディスクの信号記録面の一部を外方に臨ませるための磁気ヘッド用開口部１２３を有している。また、このカートリッジ１０５は、図６に示すように、下面側の主面部の磁気ヘッド用開口部１２３に対向する位置に光学ピックアップ用開口部１２２を有し、この下面側の主面部の略々中央部分にチャッキング用開口部１１３を有している。この記録及び再生用ディスクカートリッジ１２０は、ディスクテーブル１を有して構成されるディスク記録及び／又は再生装置に対して、図５及び図６中矢印Ａで示すように、前方方向に挿入されて装着される。
【００２９】
記録及び再生用ディスクカートリッジ１２０のカートリッジ１０５において、磁気ヘッド用開口部１２３及び光学ピックアップ用開口部１２２は、シャッタ部材１０６に依って開閉可能となされている。このシャッタ部材１０６は、これら開口部１２３，１２２に対応した互いに平行に相対向されたシャッタ板部と、これらシャッタ板部の一端側同士間を連結する連結部とを有して、合成樹脂材料または金属材料により、一体的に構成されている。このシャッタ部材１０６は、連結部を、カートリッジ１０５の一側部に形成された支持溝部１０７に摺動可能に支持されている。すなわち、シャッタ部材１０６は、カートリッジ１０５の一側部に沿って後方にスライドされることにより各開口部１２３，１２２を開蓋し、後方側より前方にスライドされて初期位置に復帰されると各シャッタ板部により該各開口部１２３，１２２を閉蓋する。
【００３０】
そして、光ディスクを収納して再生専用ディスクカートリッジ１２１を構成するカートリッジ１１６は、一辺の長さが該光ディスクの直径に略々対応した矩形状の主面部を有する薄い筐体状に構成されている。このカートリッジ１１６は、図７に示すように、上面側の主面部には、開口部を有していない。このカートリッジ１１６は、図８に示すように、下面側の主面部に光学ピックアップ用開口部１２２を有し、この下面側の主面部の略々中央部分にチャッキング用開口部１１３を有している。この再生専用ディスクカートリッジ１２１は、ディスク記録及び／又は再生装置に対して、図７及び図８中矢印Ａで示すように、前方方向に挿入されて装着される。
【００３１】
再生専用ディスクカートリッジ１２１のカートリッジ１１６において、光学ピックアップ用開口部１２２は、シャッタ部材１１７に依って開閉可能となされている。このシャッタ部材１１７は、光学ピックアップ用開口部１２２に対応したシャッタ板部と、このシャッタ板部の一端側に設けられた支持部とを有して、合成樹脂材料または金属材料により、一体的に構成されている。このシャッタ部材１１７は、支持部を、カートリッジ１１６の一側部に形成された支持溝部１０７に摺動可能に支持されている。すなわち、シャッタ部材１１７は、カートリッジ１１６の一側部に沿って後方にスライドされることにより光学ピックアップ用開口部１２２を開蓋し、後方側より前方にスライドされて初期位置に復帰されるとシャッタ板部により該光学ピックアップ用開口部１２２を閉蓋する。
【００３２】
各シャッタ部材１０６，１１７には、連結部または支持部の略々中央位置に、側方側に向けて、シャッタ閉蓋孔１０８が開設されている。このシャッタ閉蓋孔１０８は、ディスク記録及び／又は再生装置において各シャッタ部材１０６，１１７を閉蓋操作するための部材が係合するためのものである。
【００３３】
光磁気ディスク及び光ディスクの中心部に開設されたチャッキング用位置決め孔１０４は、円形の透孔として形成されている。このチャッキング用位置決め孔１０４は、上面側より、チャッキングプレート１０２により閉蓋されている。このチャッキングプレート１０２は、鉄やステンレスの如き、磁性を有する金属材料により、チャッキング用位置決め孔１０４に略々対応した直径の円盤状に形成されている。これらチャッキング用位置決め孔１０４及びチャッキングプレート１０２は、チャッキング用開口部１１３を介して、各カートリッジ１０５，１１６の外方に臨んでいる。このチャッキング用位置決め孔１０４は、直径の基準値が１１．０ｍｍで、公差が［＋０．１ｍｍ，−０．０ｍｍ］となされて形成されている。
【００３４】
そして、各カートリッジ１０５，１１６の下側主面部には、対をなす前方側及び後方側位置決め穴１０９，１１０が形成されている。前方側位置決め穴１０９は、光学ピックアップ用開口部１２２の前方側の主面部の縁部近傍に位置しており、長径方向が前後方向となされた長円形に形成されている。また、後方側位置決め穴１１０は、光学ピックアップ用開口部１２２の後方側の主面部の縁部近傍に位置しており、円形に形成されている。
【００３５】
また、各カートリッジ１０５，１１６の下側主面部後方側の他側側の縁部近傍には、複数の識別用穴１２４が形成されている。これら識別用穴１２４は、これらカートリッジ１０５，１１６が収納しているディスクの種別や状態、例えば情報信号の記録が可能か否かを識別するためのものである。記録及び再生用ディスクカートリッジ１２０のカートリッジ１０５内には、識別用穴１２４に対応して、後側面部にセーブノッチ１１４が設けられている。このセーブノッチ１１４は、移動操作されることにより、識別用穴１２４のうちの一の内部に進退し、この識別用穴１２４の深さを変えて、情報信号の記録可否の識別状態を切り換える。さらに、これら各カートリッジ１０５，１１６の下側主面部前方側の他側側の縁部には、被係合凹部１１２が形成されている。
【００３６】
記録及び再生用ディスクカートリッジ１２０のカートリッジ１０５においては、下側主面部の前方側縁部に、光磁気ディスク識別凹部１１１が形成されている。また、再生専用ディスクカートリッジ１２１のカートリッジ１１６においては、下側主面部の前方側縁部に、光ディスクディスク識別凹部１１８が形成されている。これら光磁気ディスク識別凹部１１１と光ディスク識別凹部１１８とは、互いに下側主面部よりの深さが異なっており、この深さの違いにより、収納されているディスクが光磁気ディスクか光ディスクかを識別できるようになされている。
【００３７】
そして、ディスクテーブル１の嵌合体４の上面部には、中心孔２を囲むようにして、円環形状のマグネット取り付け凹部５が形成されている。このマグネット取り付け凹部５内には、円環形状のヨーク板及び円環形状のマグネット６が、嵌入されて取り付けられている。このマグネット６は、上面部を、ディスクテーブル１の上方側に臨ませている。
【００３８】
このマグネット６は、図４に示すように、嵌合体４がチャッキング用位置決め孔１０４に嵌合されたとき、チャッキングプレート１０２を吸引して、記録ディスク１０１をディスク載置部３上に保持する。
【００３９】
このディスクテーブル１に装着された記録ディスク１０１は、チャッキング用位置決め孔１０４の内壁部を嵌合体４によりガイドされることによって、該チャッキング用位置決め孔１０４の中心を、略々、ディスクテーブル１の中心孔２の中心軸上となす位置に位置決めされる。
【００４０】
なお、ディスク記録及び／又は再生装置のシャーシ１０上には、図３に示すように、記録及び／又は再生手段を構成する光学ピックアップ装置２０が配設されている。この光学ピックアップ装置２０は、対物レンズ１９より光束を射出することにより、記録ディスク１０１に対する情報信号の書き込み及び読み出しが可能に構成されている。この光学ピックアップ装置２０は、シャーシ１０に取り付けられたシャフト２１及びガイド板２４により、ディスクテーブル１に対する接離方向に移動操作可能に支持されている。すなわち、この光学ピックアップ装置２０は、シャフト２１に係合して支持されるシャフト挿通部２２，２２及びガイド板２４に載置されて支持される支持腕部２３を有している。
【００４１】
また、シャーシ１０上には、前方側及び後方側位置決め穴１０９，１１０に嵌合して各ディスクカートリッジ１２０，１２１の位置決めを行う位置決めピン２５，２６が植設されている。また、シャーシ１０上には、カートリッジ１０５、１１６の底面部に当接して各ディスクカートリッジ１２０，１２１の高さ位置を規定する当接支持ピン２７，２８が植設されている。
【００４２】
そして、モータ軸９には、シャーシ１０の上面側に位置して、リング部材１１が外嵌装されている。このリング部材１１は、例えば、含油金属の如き表面の滑性が良好な材料により形成されている。このリング部材１１の有する挿通孔１４は、モータ軸９に対して、僅かな空隙を形成して、このモータ軸９が挿通されるようになされている。
【００４３】
シャーシ１０上には、リング部材１１の外周部を、図１中矢印Ｐで示すモータ軸９に略々直交する方向、すなわち、該シャーシ１０に沿う方向に押圧付勢する付勢部材となる捻りコイルバネ１２が配設されている。
【００４４】
捻りコイルバネ１２は、図２及び図３に示すように、コイル部分を、シャーシ１０上に配設された支持部材１７により支持されている。そして、この捻りコイルバネ１２は、一方のアーム部をリング部材１１の外周部に当接させ、他方のアーム部をシャーシ１０上に配設されたバネ係止爪１６により係止されることによって、該一方のアーム部により、該リング部材１１の外周部を押圧付勢する。なお、シャーシ１０上には、図３に示すように、捻りコイルバネ１２の一方のアーム部の移動領域を規制するためのストッパ爪１８が設けられている。
【００４５】
そして、リング部材１１は、少なくとも捻りコイルバネ１２が当接して押圧付勢力を加えられる部分が、該捻りコイルバネ１２に当接係合して該捻りコイルバネ１２に対する回転を阻止する当接部１５となされている。この当接部１５は、リング部材１１の外周部の一部がモータ軸９に平行な平面状となされることにより形成されている。この当接部１５をなす平面は、挿通孔１４の中心軸に平行であり、また、該挿通孔１４の中心軸と交差する垂線の足を含んだものとなっている。
【００４６】
当接部１５は、リング部材１１の外周部の３箇所に形成されている。したがって、リング部材１１の外形形状は、略々三角柱状となっている。
【００４７】
リング部材１１は、モータ軸９が回転しても、捻りコイルバネ１２に対して回転することなく、該モータ軸９に対して摺接しつつ、このモータ軸９に安定した側圧を加える。したがって、モータ軸９は、いわゆる味噌スリ運動となる軸ブレ（軸ガタ）を発生することなく回転操作されることができ、ディスクテーブル１上に装着された記録ディスクに対し、回転中心が移動することのない円滑な回転操作を行う。
【００４８】
【発明の効果】
上述のように、本発明に係るディスク記録及び／又は再生装置においては、スピンドルモータのモータ軸が挿通されるリング部材の外周部に形成された当接部の平面部に付勢部材のアーム部に設けられた被当接部を当接させて、この当接部を該モータ軸に略々直交する方向に押圧付勢することにより、リング部材は、当該付勢部材に対する回転を阻止される。そのため、このリング部材は、付勢部材に対して回転することなく、この付勢部材による付勢力により、モータ軸に対して安定した側圧を加えることができる。
【００４９】
すなわち、本発明は、構成の複雑化、大型化を招来することなく、スピンドルモータのモータ軸の微細な味噌スリ運動、すなわち、軸ブレを防止できるようになされたディスク記録及び／又は再生装置を提供することができるものである。
【図面の簡単な説明】
【図１】本発明に係るディスク記録及び／又は再生装置のスピンドルモータの構成を示す縦断面図である。
【図２】スピンドルモータの要部の構成を示す平面図である。
【図３】本発明に係るディスク記録及び／又は再生装置の構成を示す平面図である。
【図４】本発明に係るディスク記録及び／又は再生装置のディスクテーブルに記録ディスクが装着された状態を示す拡大縦断面図である。
【図５】ディスクテーブルに記録ディスクとして装着される光磁気ディスクを有して構成された記録及び再生用ディスクカートリッジの上面側の構成を示す斜視図である。
【図６】記録及び再生用ディスクカートリッジの底面側の構成を示す斜視図である。
【図７】ディスクテーブルに記録ディスクとして装着される光ディスクを有して構成された再生専用ディスクカートリッジの上面側の構成を示す斜視図である。
【図８】再生専用ディスクカートリッジの底面側の構成を示す斜視図である。
【図９】従来の記録及び／又は再生装置のスピンドルモータの構成を示す縦断面図である。
【図１０】従来の記録及び／又は再生装置のスピンドルモータの構成の他の例を示す縦断面図である。
【符号の説明】
１ ディスクテーブル、３ ディスク載置部、４ 嵌合体、８ スピンドルモータ、９ モータ軸、１０ シャーシ、１１ リング部材、１２ 捻りコイルバネ、１５ 当接部
【図１】
0003613213.tif 000002
【図２】
0003613213.tif 000003
【図３】
0003613213.tif 000004
【図４】
0003613213.tif 000005
【図５】
0003613213.tif 000006
【図６】
0003613213.tif 000007
【図７】
0003613213.tif 000008
【図８】
0003613213.tif 000009
【図９】
0003613213.tif 000010
【図１０】
0003613213.tif 000011